(57)【特許請求の範囲】
【請求項１】
装置であって、
第１の周波数帯域よりも狭い第１の帯域幅を有する、前記第１の周波数帯域に関するナローフィルタであって、入力無線周波数（ＲＦ）信号を受信し、フィルタリングし、フィルタリングされたＲＦ信号を提供する帯域通過フィルタとして構成された、ナローフィルタと、
前記ナローフィルタの出力に動作可能に結合された入力を有する電力増幅器であって、前記フィルタリングされたＲＦ信号を受信し、増幅し、増幅されたＲＦ信号を提供するように構成された、電力増幅器と
を備え、
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、装置。
【請求項２】
前記ナローフィルタを備え、第１のスイッチを介して前記電力増幅器の前記入力に結合された第１の信号経路と、
第２のスイッチを介して前記電力増幅器の前記入力に結合されたバイパス信号経路と
をさらに備える、請求項１に記載の装置。
【請求項３】
前記ナローフィルタの前記第１の帯域幅よりも大きい第２の帯域幅を有する、前記第１の周波数帯域に関するフルフィルタであって、前記電力増幅器の出力に動作可能に結合された入力を有しており、前記増幅されたＲＦ信号を受信し、フィルタリングし、出力ＲＦ信号を提供するように構成された、フルフィルタ
をさらに備える、請求項１に記載の装置。
【請求項４】
前記第１の周波数帯域がバンド４０に対応し、前記ナローフィルタの前記第１の帯域幅がバンド４０の帯域幅よりも小さく、前記フルフィルタの前記第２の帯域幅がバンド４０の前記帯域幅に等しいかそれよりも大きい、請求項３に記載の装置。
【請求項５】
前記ナローフィルタが前記第１の周波数帯域内に遷移帯域を有し、前記フルフィルタが前記第１の周波数帯域外に遷移帯域を有する、請求項３に記載の装置。
【請求項６】
前記第１の周波数帯域よりも狭い帯域幅を有する、前記第１の周波数帯域に関する第２のナローフィルタであって、前記電力増幅器の出力に動作可能に結合された入力を有しており、前記増幅されたＲＦ信号を受信し、フィルタリングし、出力ＲＦ信号を提供するように構成された、第２のナローフィルタ
をさらに備える、請求項１に記載の装置。
【請求項７】
前記電力増幅器の前記出力とアンテナインターフェース回路との間に結合されたバイパス信号経路
をさらに備える、請求項１に記載の装置。
【請求項８】
前記装置が、前記第１の周波数帯域における前記第１のワイヤレスネットワークと通信するが、前記第１の周波数帯域に隣接する前記第２の周波数帯域における前記第２のワイヤレスネットワークとは通信しないときには、前記フルフィルタが選択される、請求項３に記載の装置。
【請求項９】
前記装置が前記第１の周波数帯域における前記第１のワイヤレスネットワークおよび前記第１の周波数帯域に隣接する前記第２の周波数帯域における前記第２のワイヤレスネットワークと同時に通信するときには、前記ナローフィルタと前記フルフィルタが両方とも選択される、請求項３に記載の装置。
【請求項１０】
前記装置が前記第１の周波数帯域における前記第１のワイヤレスネットワークおよび前記第１の周波数帯域に隣接する前記第２の周波数帯域における第２のワイヤレスネットワークと同時に通信するときには、前記ナローフィルタと前記第２のナローフィルタが両方とも選択される、請求項６に記載の装置。
【請求項１１】
装置が実行する方法であって、
フィルタリングされたＲＦ信号を得るための帯域通過フィルタとして構成されたナローフィルタを用いて入力無線周波数（ＲＦ）信号をフィルタリングすることであって、前記ナローフィルタが、第１の周波数帯域に関するものであり、前記第１の周波数帯域よりも狭い第１の帯域幅を有する、フィルタリングすることと、
増幅されたＲＦ信号を得るために電力増幅器を用いて前記ナローフィルタからの前記フィルタリングされたＲＦ信号を増幅することと
を備え、
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、方法。
【請求項１２】
出力ＲＦ信号を得るためにフルフィルタを用いて前記電力増幅器からの前記増幅されたＲＦ信号をフィルタリングすることであって、前記フルフィルタが、前記第１の周波数帯域に関するものであり、前記ナローフィルタの前記第１の帯域幅よりも大きい第２の帯域幅を有する、フィルタリングすること
をさらに備える、請求項１１に記載の方法。
【請求項１３】
出力ＲＦ信号を得るために第２のナローフィルタを用いて前記電力増幅器からの前記増幅されたＲＦ信号をフィルタリングすることであって、前記第２のナローフィルタが、前記第１の周波数帯域に関するものであり、前記第１の周波数帯域よりも狭い帯域幅を有する、フィルタリングすること
をさらに備える、請求項１１に記載の方法。
【請求項１４】
前記ナローフィルタが使用のために選択されないときには、前記電力増幅器を用いて前記入力ＲＦ信号を増幅し、前記ナローフィルタをバイパスすること
をさらに備える、請求項１１に記載の方法。
【請求項１５】
請求項１１〜１４のうちのいずれかに記載のステップを実行する命令を記憶した、コンピュータ可読記憶媒体。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１２年２月２３日に出願された「WIRELESS DEVICE WITH FILTERS TO SUPPORT CO-EXISTENCE ON ADJACENT FREQUENCY BANDS」と題する米国仮出願第６１／６０２，４０１号の優先権を主張する。
【０００２】
[0002]本開示は、一般に電子機器に関し、より詳細にはワイヤレスデバイスに関する。
【背景技術】
【０００３】
[0003]ワイヤレス通信ネットワークにおけるワイヤレスデバイス（たとえば、セルラーフォンまたはスマートフォン）は、双方向通信のためのデータを送信および受信し得る。ワイヤレスデバイスは、データ送信のための送信機と、データ受信のための受信機とを含み得る。データ送信では、送信機は、無線周波数（ＲＦ）キャリア信号をデータで変調して、変調されたＲＦ信号を取得し、変調されたＲＦ信号を増幅して、適切な送信電力レベルを有する出力ＲＦ信号を取得し、アンテナを介して出力ＲＦ信号を基地局に送信し得る。データ受信では、受信機は、アンテナを介して受信ＲＦ信号を取得し、受信ＲＦ信号を調整し処理して、基地局によって送られたデータを復元し得る。
【０００４】
[0004]ワイヤレスデバイスは、マルチプルなワイヤレスネットワークとの同時通信をサポートするためにマルチプルな送信機とマルチプルな受信機とを含み得る。あるワイヤレスネットワークのための送信機は、いくつかのシナリオでは別のワイヤレスネットワークのための受信機に干渉することがあり、パフォーマンスを低下させることがある。
【図面の簡単な説明】
【０００５】
【図１】様々なワイヤレス通信ネットワークと通信することが可能なワイヤレスデバイスを示す図。
【図２】図１のワイヤレスデバイスのブロック図。
【図３】電力増幅器（ＰＡ）モジュールのブロック図。
【図４Ａ】バンド４０のためのフルフィルタ（full filter）の例示的な周波数応答を示す図。
【図４Ｂ】バンド４０のためのナローフィルタ（narrow filter）の例示的な周波数応答を示す図。
【図５Ａ】隣接する周波数帯域におけるマルチプルなワイヤレスネットワークとの共存をサポートするＰＡモジュールの例示的な設計のブロック図。
【図５Ｂ】隣接する周波数帯域におけるマルチプルなワイヤレスネットワークとの共存をサポートするＰＡモジュールの例示的な設計のブロック図。
【図６】ワイヤレスデバイスによってフィルタリングを実行するためのプロセスを示す図。
【詳細な説明】
【０００６】
[0011]以下に示す詳細な説明は、本開示の例示的な設計を説明するものであり、本開示が実施され得る唯一の設計を表すものではない。「例示的」という用語は、本明細書では、「例、事例、または例示の働きをすること」を意味するために使用する。「例示的」として本明細書で説明するいかなる設計も、必ずしも他の設計よりも好ましいまたは有利であると解釈されるべきではない。詳細な説明は、本開示の例示的な設計の完全な理解を与えるための具体的な詳細を含む。本明細書で説明する例示的な設計はこれらの具体的な詳細なしに実施され得ることが当業者には明らかであろう。いくつかの事例では、本明細書で提示する例示的な設計の新規性を不明瞭にしないように、よく知られている構造およびデバイスをブロック図の形式で示す。
【０００７】
[0012]隣接する周波数帯域におけるマルチプルなワイヤレスネットワークとの同時通信（すなわち、共存）をサポートするためのフィルタを備えたワイヤレスデバイスを本明細書で開示する。マルチプルなワイヤレスネットワークは、互いに隣接または近接する周波数帯域において動作し得る。ワイヤレスデバイスは、マルチプルなワイヤレスネットワークとの通信のためのマルチプルなトランシーバを含み得る。あるワイヤレスネットワークのためのトランシーバは、別のワイヤレスネットワークのための別のトランシーバへの干渉を引き起こすことがある。フィルタは、すべてのワイヤレスネットワークのためのワイヤレスデバイスについて良好なパフォーマンスが達成され得るように、トランシーバ間の干渉を緩和し得る。
【０００８】
[0013]図１に、ワイヤレスワイドエリアネットワーク（ＷＷＡＮ）１２０、ワイヤレスローカルエリアネットワーク（ＷＬＡＮ）１３０、およびワイヤレスパーソナルエリアネットワーク（ＷＰＡＮ）１４０など、様々なワイヤレス通信ネットワークと通信することが可能なワイヤレスデバイス１１０を示す。ＷＷＡＮ１２０は、たとえば、市、州、または国全体など、大きい地理的エリアに通信カバレージを与える。ＷＷＡＮ１２０は、符号分割多元接続（ＣＤＭＡ）ネットワーク、モバイル通信用グローバルシステム（ＧＳＭ（登録商標）：Global System for Mobile Communications）ネットワーク、ロングタームエボリューション（ＬＴＥ：Long Term Evolution）ネットワークなど、セルラーネットワークであり得る。ＣＤＭＡネットワークは、広帯域ＣＤＭＡ（ＷＣＤＭＡ（登録商標））、ｃｄｍａ２０００、またはＣＤＭＡの何らかの他のバージョンを実装し得る。ＷＷＡＮ１２０は、ＷＷＡＮのカバレージエリア内のワイヤレスデバイスのための通信をサポートする、いくつかの基地局と他のネットワークエンティティとを含み得る。簡単のために、図１は、ＷＷＡＮ１２０における２つの基地局１２２のみを示している。
【０００９】
[0014]ＷＬＡＮ１３０は、たとえば、建築物、家庭など、中間の地理的エリアに通信カバレージを与える。ＷＬＡＮ１３０は、ＷＬＡＮのカバレージエリア内の任意の数の局のための通信をサポートする、任意の数のアクセスポイントおよび他のネットワークエンティティ（たとえば、ハブおよびルータ）を含み得る。簡単のために、図１は、ＷＬＡＮ１３０におけるただ１つのアクセスポイント１３２のみを示している。ＷＬＡＮ１３０は、ＩＥＥＥ８０２．１１規格ファミリーおよび／または他のＷＬＡＮ規格における１つまたは複数のエアインターフェースを実装し得る。
【００１０】
[0015]ＷＰＡＮ１４０は、小さい地理的エリアに通信カバレージを与え、ワイヤレスデバイス１１０とヘッドセット１４２との間の通信をサポートする。概して、ＷＰＡＮ１４０は、任意の数のＷＰＡＮデバイスと任意のタイプのＷＰＡＮデバイスとを含み得る。ＷＰＡＮ１４０はＢｌｕｅｔｏｏｔｈ（登録商標）および／または他のＷＰＡＮ規格を実装し得る。
【００１１】
[0016]ワイヤレスデバイス１１０は、１つまたは複数のワイヤレスネットワークと通信することが可能であり得る。ワイヤレスデバイス１１０は、ユーザ機器（ＵＥ）、移動局、端末、アクセス端末、加入者ユニット、局などと呼ばれることもある。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈデバイスなどであり得る。ワイヤレスデバイス１１０は、ＷＷＡＮ１２０、ＷＬＡＮ１３０および／またはＷＰＡＮ１４０と、場合によっては同時に、通信することが可能であり得る。ワイヤレスデバイス１１０は、ＬＴＥ、ｃｄｍａ２０００、ＷＣＤＭＡ、ＧＳＭ、ＩＥＥＥ８０２．１１、Ｂｌｕｅｔｏｏｔｈなど、ワイヤレス通信のための１つまたは複数の無線技術をサポートし得る。
【００１２】
[0017]図２に、図１のワイヤレスデバイス１１０の例示的な設計のブロック図を示す。図２に示す例示的な設計では、ワイヤレスデバイス１１０は、データプロセッサ／コントローラ２１０と、ＷＷＡＮトランシーバ２２０と、ＷＬＡＮトランシーバ２７０と、ＷＰＡＮトランシーバ２８０と、ＷＷＡＮのためのアンテナ２５２と、ＷＬＡＮおよびＷＰＡＮのためのアンテナ２５４とを含む。ＷＷＡＮトランシーバ２２０は、ＷＷＡＮとの双方向ワイヤレス通信をサポートする送信機２３０と受信機２６０とを含む。トランシーバ２７０および２８０の各々は、それぞれ、ＷＬＡＮおよびＷＰＡＮとのワイヤレス通信をサポートするための送信機と受信機と含み得る。簡単のために、トランシーバ２７０および２８０の詳細は図２には示されていない。
【００１３】
[0018]ＷＷＡＮトランシーバ２２０の送信経路では、データプロセッサ２１０は、送信されるべきデータを処理（たとえば、符号化および変調）し、送信機２３０にアナログ出力信号を与える。送信機２３０内で、送信回路２３２は、アナログ出力信号を増幅し、フィルタリングし、ベースバンドからＲＦにアップコンバートし、入力ＲＦ信号を与える。送信回路２３２は、増幅器、フィルタ、ミキサ、ドライバ増幅器、発振器、局部発振器（ＬＯ）生成器、位相ロックループ（ＰＬＬ）などを含み得る。電力増幅器（ＰＡ）モジュール２４０は、入力ＲＦ信号を受信し、増幅し、適切な出力電力レベルを有する出力ＲＦ信号を与える。ＰＡモジュール２４０は、電力増幅器、ドライバ増幅器、フィルタ、スイッチ、マッチング回路などを含み得る。出力ＲＦ信号は、アンテナインターフェース回路２５０を通じてルーティングされ、アンテナ２５２を介してＷＷＡＮにおける１つまたは複数の基地局に送信される。アンテナインターフェース回路２５０は、１つまたは複数のスイッチ、デュプレクサ、ダイプレクサ、方向性結合器などを含み得る。
【００１４】
[0019]ＷＷＡＮトランシーバ２２０の受信経路では、アンテナ２５２は、ＷＷＡＮにおける基地局および／または他の送信機局から信号を受信し、受信ＲＦ信号を与え、その受信ＲＦ信号は、アンテナインターフェース回路２５０を通じてルーティングされ、受信機２６０に与えられる。受信機２６０内で、低雑音増幅器（ＬＮＡ）モジュール２６２は、受信ＲＦ信号を増幅し、ＬＮＡ出力信号を与える。受信回路２６４は、ＬＮＡ出力信号を増幅し、フィルタリングし、ＲＦからベースバンドにダウンコンバートし、データプロセッサ２１０にアナログ入力信号を与える。受信回路２６４は、増幅器、フィルタ、ミキサ、発振器、ＬＯ生成器、ＰＬＬなどを含み得る。
【００１５】
[0020]図２は、送信機２３０および受信機２６０の例示的な設計を示す。送信機２３０および／または受信機２６０は、図２に示されていない異なるおよび／または追加の回路を含み得る。たとえば、送信機２３０は、簡単のために図２には明示的に示されていない、フィルタ、マッチング回路などを含み得る。トランシーバ２２０の全部または一部分が、１つまたは複数のアナログ集積回路（ＩＣ）、ＲＦ  ＩＣ（ＲＦＩＣ）、混合信号ＩＣなどの上に実装され得る。たとえば、送信回路２３２、ＰＡモジュール２４０、ＬＮＡモジュール２６２、および受信回路２６４は、ＲＦＩＣ上に実装され得る。ＰＡモジュール２４０および場合によっては他の回路は、また、別個のＩＣまたは回路モジュール上にも実装され得る。
【００１６】
[0021]ＷＬＡＮトランシーバ２７０は、ＷＬＡＮにおけるアクセスポイントとの通信のための信号を受信し、処理し得る。ＷＰＡＮトランシーバ２８０は、ＷＰＡＮデバイスとの通信のための信号を受信し、処理し得る。トランシーバ２７０および２８０の各々は、ＷＷＡＮトランシーバ２２０における回路と同様の回路を含み得る。
【００１７】
[0022]データプロセッサ／コントローラ２１０は、ワイヤレスデバイス１１０のための様々な機能を実行し得る。たとえば、データプロセッサ２１０は、送信機２３０を介して送信されているデータおよび受信機２６０を介して受信されているデータのための処理を実行し得る。コントローラ２１０は、送信回路２３２、受信回路２６４、ＰＡモジュール２４０、ＬＮＡモジュール２６２、アンテナインターフェース回路２５０などの動作を制御し得る。メモリ２１２は、データプロセッサ／コントローラ２１０のためのプログラムコードおよびデータを記憶し得る。データプロセッサ／コントローラ２１０は、１つまたは複数の特定用途向け集積回路（ＡＳＩＣ）および／または他のＩＣ上に実装され得る。
【００１８】
[0023]ワイヤレスデバイス１１０は、図１のＷＷＡＮ１２０、ＷＬＡＮ１３０、および／またはＷＰＡＮ１４０など、様々なワイヤレスネットワークとの通信をサポートし得る。各ワイヤレスネットワークは、１つまたは複数の周波数帯域における通信をサポートし得る。たとえば、ＷＷＡＮ１２０は、以下の周波数帯域のうちの１つまたは複数における通信をサポートするＬＴＥネットワークであり得る。  
・時分割複信（ＴＤＤ）のための２５７０〜２６２０ＭＨｚのバンド３８（Band 38）
・ＴＤＤのための２３００〜２４００ＭＨｚのバンド４０（Band 40）
・ＴＤＤのための２４９６〜２６９０ＭＨｚのバンド４１（Band 41）、および／または
・他の帯域
[0024]ＷＬＡＮ１３０は、２４００〜２５００ＭＨｚの産業科学医療用（ＩＳＭ：industrial, scientific and medical）バンドにおける通信をサポートするＷｉ−Ｆｉ（登録商標）ネットワークであり得る。ＷＰＡＮ１４０は、２４００〜２５００ＭＨｚのＩＳＭバンドにおけるＢｌｕｅｔｏｏｔｈをサポートし得る。ＷＷＡＮ１２０、ＷＬＡＮ１３０およびＷＰＡＮ１４０は、また、他の周波数帯域における通信もサポートし得る。
【００１９】
[0025]図３に、図２のＷＷＡＮトランシーバ２２０におけるＰＡモジュール２４０の１つの例示的な設計である、ＰＡモジュール３４０のブロック図を示す。ＰＡモジュール３４０内で、電力増幅器（ＰＡ）３５０は、それの入力がＰＡモジュール３４０の入力に結合され、それの出力がスイッチプレクサ３６０に結合されている。スイッチプレクサ３６０はスイッチ３６２〜３６６を含み、それらのスイッチの第１の端子はノードＡに結合され、それらのスイッチの第２の端子は、それぞれフィルタ３７２〜３７６に結合されている。ノードＡは電力増幅器３５０の出力に対応する。フィルタ３７２〜３７６は、それらの入力がそれぞれスイッチ３６２〜３６６に結合され、それらの出力がアンテナインターフェース回路２５０に結合されている。フィルタ３７２〜３７６は、バンドパスフィルタ、ローパスフィルタ、ハイパスフィルタなどを備え得る。フィルタ３７２〜３７６は、表面弾性波（ＳＡＷ：surface acoustic wave）フィルタ、セラミックフィルタ、微小電子機械システム（ＭＥＭＳ：micro-electro-mechanical system）フィルタ、または他のタイプのフィルタを用いて実装され得る。
【００２０】
[0026]ドライバ増幅器（ＤＡ）３３０は、変調されたＲＦ信号を受信し、増幅し、ＰＡモジュール３４０に入力ＲＦ信号を与える。ドライバ増幅器３３０は、（図３に示すように）図２の送信回路２３２の一部であり得るか、またはＰＡモジュール３４０の一部であり得る（図３には図示せず）。ＰＡモジュール３４０内で、電力増幅器３５０は、ドライバ増幅器３３０からの入力ＲＦ信号を受信し、増幅し、増幅されたＲＦ信号を与える。スイッチプレクサ３６０は、電力増幅器３５０からの増幅されたＲＦ信号を受信し、増幅されたＲＦ信号をフィルタ３７２〜３７６のうちの１つに与える。スイッチプレクサ３６０内のスイッチ３６２〜３６６のうちの１つは、所与の任意の瞬間において選択され得る。選択されたスイッチは閉じており、増幅されたＲＦ信号を関連するフィルタに通す。選択されていないスイッチは開いている。選択されたスイッチに結合されたフィルタは、閉じているスイッチを介して、増幅されたＲＦ信号を受信し、アンテナインターフェース回路２５０に出力ＲＦ信号を与える。
【００２１】
[0027]フィルタ３７２〜３７６は、ワイヤレスデバイス１１０によってサポートされる異なる関心周波数帯域をカバーする。図３に示す例では、フィルタ３７２はバンド４０をカバーし、バンド４０フィルタ３７２とも呼ばれる。フィルタ３７６は、バンド３８、バンド４１などであり得る、バンドＸをカバーする。フィルタ３７２〜３７６はまた、他の周波数帯域をカバーし得る。各フィルタは、それの周波数帯域内の信号を通し、それの周波数帯域外の信号を減衰させるように設計され得る。
【００２２】
[0028]図４Ａは、図３のバンド４０フィルタ３７２の例示的な周波数応答を示す。バンド４０フィルタ３７２は、バンド４０の周波数レンジである２３００〜２４００ＭＨｚの通過帯域を有する。バンド４０フィルタ３７２は、下側遷移帯域（lower transition band）において２３００ＭＨｚの左にロールオフし、また、上側遷移帯域（upper transition band）において２４００ＭＨｚの右にロールオフする。各遷移帯域の幅（すなわち、ロールオフのスティープネス（steepness））は、バンド４０フィルタ３７２のために使用されるフィルタのタイプに依存する。図４Ａに示すように、バンド４０フィルタ３７２の上側遷移帯域は、２４００〜２５００ＭＨｚのＩＳＭバンドとオーバーラップする。
【００２３】
[0029]ワイヤレスデバイス１１０は、マルチプルなワイヤレスネットワークとの通信をサポートし得る。たとえば、ワイヤレスデバイス１１０は、バンド４０におけるＷＷＡＮと、また、ＩＳＭバンドにおけるＷＬＡＮとの同時通信をサポートし得る。この場合、ＷＷＡＮトランシーバ２２０からの所望の信号がアンテナ２５２および２５４を介してＷＬＡＮトランシーバ２７０に結合され得、結合された信号は、ＷＬＡＮトランシーバ２７０への不所望な信号として働き得る。アンテナ２５２とアンテナ２５４の両方はワイヤレスデバイス１１０上に実装され得、２つのアンテナ間で達成され得る分離（isolation）の量には限界があり得る。
【００２４】
[0030]図４Ａに示すように、バンド４０フィルタ３７２の上側遷移帯域における不所望な信号は、２．４ＧＨｚ  ＩＳＭバンドにおけるＷＬＡＮ周波数チャネル１上の所望の信号への干渉を引き起こし得る。周波数チャネル１は、２４１２ＭＨｚを中心とし、ＩＥＥＥ８０２．１１ｂについて２２ＭＨｚの帯域幅を有する。バンド４０における不所望な信号からの干渉は、ＩＳＭバンドにおけるＷＬＡＮとの通信のパフォーマンスを著しく低下させるおそれがあり、周波数チャネル１をＷＬＡＮ通信のために使用不可能にし得る。
【００２５】
[0031]本開示の一態様では、関心帯域（たとえば、バンド４０）のためのナローフィルタが、電力増幅器の前に配置され、隣接する帯域への干渉が低減され得るように当該の帯域における信号を減衰させるために使用され得る。以下で説明するように、電力増幅器の前にナローフィルタを設置することは、電力増幅器の後にナローフィルタを設置することに比べていくつかの利点を与え得る。
【００２６】
[0032]図５Ａに、隣接する周波数帯域におけるマルチプルなワイヤレスネットワークとの共存をサポートするＰＡモジュール５４０ａのブロック図を示す。ＰＡモジュール５４０ａは、図２のＰＡモジュール２４０の１つの例示的な設計である。
【００２７】
[0033]図５Ａに示す例示的な設計では、ＰＡモジュール５４０ａ内で、スイッチ５４２ａおよび５４２ｂは、それらの第１の端子がＰＡモジュール５４０ａの入力に結合され、スイッチ５４８ａおよび５４８ｂは、それらの第１の端子が電力増幅器５５０の入力に結合されている。ナローバンド４０フィルタ５４４がスイッチ５４２ａの第２の端子とスイッチ５４８ａの第２の端子との間に結合される。バイパス経路５４６が、スイッチ５４２ｂの第２の端子とスイッチ５４８ｂの第２の端子との間に結合される。
【００２８】
[0034]図５Ａに示す例示的な設計では、スイッチプレクサ５６０はスイッチ５６２〜５６８を含み、それらのスイッチの第１の端子は、ノードＡである、電力増幅器５５０の出力に結合されている。フルバンド４０フィルタ５７２は、それの入力がスイッチ５６２の第２の端子に結合され、それの出力がアンテナインターフェース回路２５０に結合されている。バンドＸフィルタ５７６は、それの入力がスイッチ５６６の第２の端子に結合され、それの出力がアンテナインターフェース回路２５０に結合されている。また、追加のフィルタ（図５Ａには図示せず）がスイッチプレクサ５６０とアンテナインターフェース回路２５０との間に結合され得る。フィルタ５７２〜５７６は、ＳＡＷフィルタ、セラミックフィルタ、ＭＥＭＳフィルタなどを用いて実装され得る。バイパス経路５７８がスイッチ５６８の第２の端子とアンテナインターフェース回路２５０との間に結合される。バイパス経路５７８は、（図５Ａに示すように）含まれ得るか、または省略され得る（図５Ａには図示せず）。
【００２９】
[0035]概して、フィルタ５４４およびフィルタ５７２〜５７６は、ワイヤレスデバイス１１０によってサポートされる任意の関心周波数帯域をカバーし得る。図５Ａに示す例示的な設計では、フィルタ５４４は、バンド４０をカバーするが、より狭い帯域幅を有し、ナローバンド４０フィルタ５４４と呼ばれる。また、フィルタ５７２は、バンド４０をカバーし、（たとえば、図４Ａに示したように２３００〜２４００ＭＨｚの）フル帯域幅を有し、フルバンド４０フィルタ５７２と呼ばれる。フィルタ５７６は、バンド３８、バンド４１などであり得る、バンドＸをカバーする。フィルタ５４４およびフィルタ５７２〜５７６はまた、他の周波数帯域、たとえば、ＬＴＥ  ＴＤＤのために使用され、２５４５〜２５７５ＭＨｚの周波数レンジをカバーするｅＸｔｅｎｄｅｄ  Ｇｌｏｂａｌ  Ｐｌａｔｆｏｒｍ（ＸＧＰ）バンドをカバーし得る。各フィルタは、それの周波数帯域内の信号を通し、それの周波数帯域外の信号を減衰させるように設計され得る。
【００３０】
[0036]図５Ａに示す例示的な設計では、ＰＡモジュール５４０ａは、電力増幅器５５０より前に２つの入力信号経路５５２および５５４を含む。第１の入力信号経路５５２はナローバンド４０フィルタ５４４を含む。第２の入力信号経路５５４はバイパス経路５４６を含む。第１の入力信号経路または第２の入力信号経路のいずれかは、スイッチ５４２および５４８を制御することによって所与の瞬間において選択され得る。ＰＡモジュール５４０ａはまた、電力増幅器５５０の後にマルチプルな出力信号経路５８２〜５８８を含む。第１の出力信号経路５８２はスイッチ５６２とフルバンド４０フィルタ５７２とを含む。１つまたは複数の他の出力信号経路はそれぞれ、フィルタと、関連するスイッチとを含み得る。出力信号経路５８８はスイッチ５６８とバイパス経路５７８とを含む。出力信号経路のうちの１つは、スイッチ５６２〜５６８を制御することによって所与の瞬間において選択され得る。
【００３１】
[0037]ドライバ増幅器５３０は、変調されたＲＦ信号を受信し、増幅し、ＰＡモジュール５４０ａに入力ＲＦ信号を与える。ドライバ増幅器５３０は、（図５Ａに示すように）図２の送信回路２３２の一部であり得るか、またはＰＡモジュール５４０ａの一部であり得る（図５Ａには図示せず）。ＰＡモジュール５４０ａ内で、入力ＲＦ信号は、（ｉ）ナローバンド４０フィルタ５４４を備える第１の入力信号経路５５２、または（ｉｉ）バイパス経路５４６を備える第２の入力信号経路５５４のいずれかを通じてルーティングされる。第１の入力信号経路５５２が選択された場合、ナローバンド４０フィルタ５４４は入力ＲＦ信号をフィルタリングする。電力増幅器５５０は、スイッチ５４８ａまたは５４８ｂのいずれかからのＲＦ信号を受信し、増幅し、増幅されたＲＦ信号を与える。スイッチプレクサ５６０は、電力増幅器５５０からの増幅されたＲＦ信号を受信し、増幅されたＲＦ信号を、スイッチ５６２〜５６６のうちの１つを介してフィルタ５７２〜５７６のうちの１つに与えるか、またはスイッチ５６８を介してバイパス経路５７８に与える。フィルタ５７２〜５７６のうちの１つが選択された場合、選択されたフィルタは、関連するスイッチを介して、増幅されたＲＦ信号を受信し、アンテナインターフェース回路２５０に出力ＲＦ信号を与える。バイパス経路５７８が選択された場合、増幅されたＲＦ信号は出力ＲＦ信号として与えられる。
【００３２】
[0038]図４Ｂは、図５Ａのナローバンド４０フィルタ５４４の例示的な周波数応答を示す。この例示的な設計では、ナローバンド４０フィルタ５４４は、バンド４０の周波数レンジよりも小さい２３００〜２３８０ＭＨｚの通過帯域を有する。ナローバンド４０フィルタ５４４は、下側遷移帯域において２３００ＭＨｚの左にロールオフし、また、上側遷移帯域において２３８０ＭＨｚの右にロールオフする。図４Ｂに示すように、ナローバンド４０フィルタ５４４の上側遷移帯域はバンド４０内にある。対照的に、フルバンド４０フィルタ５７２は、図４Ａに示したように、２３００〜２４００ＭＨｚの通過帯域と、バンド４０の外にあり、ＩＳＭバンド内にある上側遷移帯域とを有する。
【００３３】
[0039]再び図５Ａを参照すると、バンド４０におけるＷＷＡＮとＩＳＭバンドにおけるＷＬＡＮとの間の共存があるときはいつでも、ナローバンド４０フィルタ５４４を備える第１の入力信号経路５５２が選択され得る。この場合、ナローバンド４０フィルタ５４４はＩＳＭバンドにおける不所望な信号を減衰させることになり、その結果、ＩＳＭバンドにおけるＷＬＡＮのための所望の信号への干渉が少なくなる。ＷＬＡＮとの通信のパフォーマンスは、ＷＷＡＮとの通信についてのバンド４０からの不所望な信号による低下が最小限に抑えられ得る。バンド４０におけるＷＷＡＮとＩＳＭバンドにおけるＷＬＡＮとの間の共存がないときには、バイパス経路５４６を備える第２の入力信号経路５５４が選択され得る。この場合、バイパス経路５４６を介して、入力ＲＦ信号についてより小さい挿入損失が得られる。
【００３４】
[0040]ナローバンド４０フィルタ５４４およびフルバンド４０フィルタ５７２は様々な方法で選択され得る。１つの例示的な設計では、ＩＳＭバンドにおけるＷＬＡＮとの共存があるときには、バンド４０におけるＷＷＡＮとの通信のために、ナローバンド４０フィルタ５４４のみが選択され得る。別の例示的な設計では、ＩＳＭバンドにおけるＷＬＡＮとの共存があるときには、バンド４０におけるＷＷＡＮとの通信のために、ナローバンド４０フィルタ５４４とフルバンド４０フィルタ５７２の両方が選択され得る。ナローバンド４０フィルタ５４４および／またはフルバンド４０フィルタ５７２はまた、他の基準に基づいて選択され得る。たとえば、ＩＳＭバンドにおける周波数チャネル１上でエネルギーが検出された場合のみ、ナローバンド４０フィルタ５４４が選択され得る。例示的な設計では、ＩＳＭバンドにおけるＷＬＡＮとの共存がないときには、バンド４０におけるＷＷＡＮとの通信のために、フルバンド４０フィルタ５７２のみが選択され得る。
【００３５】
[0041]図５Ｂに、隣接する周波数帯域におけるマルチプルなワイヤレスネットワークとの共存をサポートするＰＡモジュール５４０ｂのブロック図を示す。ＰＡモジュール５４０ｂは、図２のＰＡモジュール２４０の別の例示的な設計である。
【００３６】
[0042]図５Ｂに示す例示的な設計では、ＰＡモジュール５４０ｂは、図５Ａについて上記で説明したように結合された、スイッチ５４２ａ、５４２ｂ、５４８ａおよび５４８ｂと、ナローバンド４０フィルタ５４４と、バイパス経路５４６と、電力増幅器５５０とを含む。ＰＡモジュール５４０ｂは、ノードＡに対応する、出力電力増幅器５５０に結合されたスイッチプレクサ５６１をさらに含む。スイッチプレクサ５６１はスイッチ５６２〜５６６を含み、それらのスイッチの第１の端子はノードＡに結合され、それらのスイッチの第２の端子は、それぞれフィルタ５７２〜５７６に結合されている。フィルタ５７２〜５７６は、それらの入力が、それぞれスイッチ５６２〜５６６に結合され、それらの出力がアンテナインターフェース回路２５０に結合されている。図５Ｂに示す例示的な設計では、スイッチプレクサ５６１はスイッチ５６８をさらに含み、それの第１の端子はノードＡに結合され、それの第２の端子は、アンテナインターフェース回路２５０にさらに結合されたバイパス経路５７８に結合される。スイッチ５６８およびバイパス経路５７８は省略されることもできる。
【００３７】
[0043]フィルタ５７２〜５７６は、ワイヤレスデバイス１１０によってサポートされる異なる関心周波数帯域をカバーし得る。図５Ｂに示す例示的な設計では、フィルタ５７２は、バンド４０をカバーし、たとえば、図４Ａに示したように２３００〜２４００ＭＨｚの公称帯域幅を有する。フィルタ５７４は、バンド４０をカバーするが、たとえば、図４Ｂに示したように２３００〜２３８０ＭＨｚの、より狭い帯域幅を有する。フィルタ５７６はバンドＸをカバーする。フィルタ５７２〜５７６はまた、他の周波数帯域をカバーし得る。ナローバンド４０フィルタ５４４および５７４は、同じまたは異なる周波数応答を有し得、同じまたは異なる帯域幅を有し得、同じまたは異なるタイプのフィルタを用いて実装され得る。
【００３８】
[0044]図５Ｂに示す例示的な設計では、ＰＡモジュール５４０ｂは、図５Ａについて上記で説明したように、電力増幅器５５０の前に第１の入力信号経路５５２と第２の入力信号経路５５４とを含む。ＰＡモジュール５４０ｂは、電力増幅器５５０の後にマルチプルな出力信号経路５８２〜５８８をさらに含む。第１の出力信号経路５８２はスイッチ５６２とフルバンド４０フィルタ５７２とを含む。第２の出力信号経路５８４はスイッチ５６４とナローバンド４０フィルタ５７４とを含む。１つまたは複数の他の出力信号経路はそれぞれ、フィルタと、関連するスイッチとを含み得る。出力信号経路５８８はスイッチ５６８とバイパス経路５７８とを含む。出力信号経路のうちの１つは、スイッチ５６２〜５６８を制御することによって所与の任意の瞬間において選択され得る。
【００３９】
[0045]１つの例示的な設計では、バンド４０におけるＷＷＡＮとＩＳＭバンドにおけるＷＬＡＮとの間の共存があるときには、ナローバンド４０フィルタ５４４を備える第１の入力信号経路５５２およびナローバンド４０フィルタ５７４を備える第２の出力信号経路５８４が選択され得る。ＩＳＭバンドにおけるＷＬＡＮとの共存がないときには、バンド４０におけるＷＷＡＮとの通信のために、バイパス経路５４６を備える第２の入力信号経路５５４およびフルバンド４０フィルタ５７２を備える第１の出力信号経路５８２が選択され得る。別のワイヤレスネットワークとの通信および／または別の周波数帯域における通信のために、バイパス経路５４６を備える第２の入力信号経路５５４および別のフィルタ（たとえば、フィルタ５７６）を備える別の出力信号経路が選択され得る。
【００４０】
[0046]表１は、ＰＡモジュールによってサポートされ得る構成のセットを記載している。図５ＡのＰＡモジュール５４０ａは、電力増幅器５５０の後にナローバンド４０フィルタ５７４を含まず、したがって表１の構成１、３、５および６のみをサポートする。図５ＢのＰＡモジュール５４０ｂは、電力増幅器５５０の後にナローバンド４０フィルタ５７４を含み、したがって表１のすべての６つの構成１〜６をサポートする。ＰＡモジュールは、表１に記載されている構成よりも多くの構成および／または表１に記載されている構成とは異なる構成を含み得る。  
【表１】
0006290105.tif 000002
【００４１】
[0047]図５Ａおよび図５Ｂは、バンド４０におけるＷＷＡＮとＩＳＭバンドにおけるＷＬＡＮとの間の共存を可能にするために電力増幅器より前のナローバンド４０フィルタを使用する２つの例示的な設計を示す。概して、電力増幅器より前に配置されたナローフィルタを使用する技法は、隣接するまたは近くの周波数帯域におけるマルチプルなワイヤレスネットワーク間の共存を可能にし得る。本技法は、図４Ａ〜図５Ｂに示すように、バンド４０およびＩＳＭバンドのために使用され得る。本技法はまた、他の隣接するまたは近くの周波数帯域における共存を可能にするために使用され得る。たとえば、本技法は、２４００〜２５００ＭＨｚのＩＳＭバンドおよび２５００〜２６９０ＭＨｚのバンド４１における共存を可能にするために使用され得る。ワイヤレスデバイスは、電力増幅器より前に配置された、２５２０〜２６９０ＭＨｚのより狭い帯域幅を有する、ナローバンド４１フィルタを含み得る。ワイヤレスデバイスはまた、電力増幅器の後に配置された、２５００〜２６９０ＭＨｚの公称帯域幅を有する、バンド４１フィルタを含み得る。ナローバンド４１フィルタは、ＩＳＭバンドにおけるＷＬＡＮのための所望の信号への干渉を低減するためにバンド４１の下側部分の不所望な信号を減衰させ得る。
【００４２】
[0048]（たとえば、図５Ａおよび図５Ｂに示すように）電力増幅器の前に配置されたナローバンド４０フィルタを使用することはいくつかの利点をもたらし得る。第１に、電力増幅器の前のナローバンド４０フィルタは、たとえば、ドライブ増幅器５３０、アップコンバータなど、電力増幅器に先行する回路によって生成される雑音およびひずみのレベルを低減するために使用され得る。バンド４０における信号からＩＳＭバンド中に入る雑音およびひずみは、ＩＳＭバンドおよびバンド４０における動作の実際の周波数（または周波数オフセット）に依存し得る。特定の周波数オフセットは、送信機の出力における全雑音およびひずみを支配する先行する回路からの雑音およびひずみをまねくことがある。これらの状況では、電力増幅器より前のナローバンド４０フィルタを使用することは、雑音およびひずみのレベルを低減し得る。これは、電力増幅器の後の追加される挿入損失なしに達成され得る。場合によっては、電力増幅器の後の挿入損失を低減するために、出力バイパス経路５７８を選択し、電力増幅器の後の送信フィルタを使用しないことが可能であり得る。
【００４３】
[0049]第２に、電力増幅器より前のナローバンド４０フィルタならびに電力増幅器の後のフルバンド４０フィルタまたは別のナローバンド４０フィルタを使用することは、パフォーマンスを改善し得る。電力増幅器の前のナローバンド４０フィルタは、ＩＳＭバンドにおける共存をサポートするために十分な除去（rejection）を行い得る。電力増幅器の後のフルバンド４０フィルタは、高調波および広帯域雑音など、通常発生し得るスプリアス信号の除去を行い得る。フルバンド４０フィルタは、バンド４０に近すぎることがあるので、ＩＳＭバンドの下側部分に入る雑音およびひずみを低減しないことがある。フィルタ選択は、（ｉ）バンド４０とＩＳＭバンドとの間の共存があるかどうか、（ｉｉ）雑音およびひずみが送信電力に対して正の非線形関係を有し得ることによる動作の送信電力、および（ｉｉｉ）バンド４０動作とＩＳＭバンド動作との間の実際の周波数オフセットのうちの１つまたは複数に基づき得る。
【００４４】
[0050]電力増幅器の後にナローバンド４０フィルタを配置すること（および電力増幅器より前にフィルタリングを実行しないこと）が、このフィルタに関連する挿入損失を増加させ得る。より高い挿入損失は、電力増幅器の効率を低減し得、これは、特に高出力電力レベルにおいては、望ましくないことがある。
【００４５】
[0051]例示的な設計では、装置（たとえば、ワイヤレスデバイス、ＩＣ、回路モジュールなど）は、ナローフィルタと電力増幅器とを備え得る。ナローフィルタ（たとえば、図５Ａおよび図５Ｂのナローバンド４０フィルタ５４４）は、第１の周波数帯域に関するものであり得、第１の周波数帯域よりも狭い第１の帯域幅を有し得る。たとえば、第１の帯域幅は、（たとえば、図４Ａに示したように）第１の周波数帯域全体ではなく、（たとえば、図４Ｂに示したように）第１の周波数帯域の一部分のみをカバーし得る。ナローフィルタは、入力ＲＦ信号を受信し、フィルタリングし、フィルタリングされたＲＦ信号を提供し得る。電力増幅器（たとえば、図５Ａおよび図５Ｂの電力増幅器５５０）は、ナローフィルタの出力に動作可能に結合された入力を有し得る。電力増幅器は、フィルタリングされたＲＦ信号を受信し、増幅し、増幅されたＲＦ信号を提供し得る。
【００４６】
[0052]例示的な設計では、本装置は、電力増幅器より前にマルチプルな信号経路を含み得る。第１の信号経路（たとえば、図５Ａおよび図５Ｂの信号経路５５２）は、ナローフィルタを含み得、第１のスイッチ（たとえば、スイッチ５４８ａ）を介して電力増幅器の入力に結合され得る。バイパス信号経路（たとえば、信号経路５５４）は、第２のスイッチ（たとえば、スイッチ５４８ｂ）を介して電力増幅器の入力に結合され得る。バイパス信号経路は、ナローフィルタが選択されないときには、電力増幅器に入力ＲＦ信号を与え得る。電力増幅器は、ナローフィルタが選択されないときには、（フィルタリングされたＲＦ信号ではなく）入力ＲＦ信号を受信し、増幅し得る。
【００４７】
[0053]例示的な設計では、本装置は、ナローフィルタの第１の帯域幅よりも大きい第２の帯域幅を有する、第１の周波数帯域に関するフルフィルタ（たとえば、図５Ａおよび図５Ｂのフルバンド４０フィルタ５７２）を含み得る。フルフィルタは、たとえば、スイッチを介して電力増幅器の出力に動作可能に結合された入力を有し得る。フルフィルタは、使用のために選択されたときには、増幅されたＲＦ信号を受信し、フィルタリングし、出力ＲＦ信号を提供し得る。
【００４８】
[0054]例示的な設計では、本装置は、第１の周波数帯域よりも狭い帯域幅を有する、第１の周波数帯域に関する第２のナローフィルタ（たとえば、図５Ｂのナローバンド４０フィルタ５７４）を含み得る。第２のナローフィルタは、たとえば、スイッチを介して電力増幅器の出力に動作可能に結合された入力を有し得る。第２のナローフィルタは、使用のために選択されたときには、増幅されたＲＦ信号を受信し、フィルタリングし、出力ＲＦ信号を提供し得る。
【００４９】
[0055]例示的な設計では、本装置は、電力増幅器の出力とアンテナインターフェース回路との間に結合されたバイパス信号経路（たとえば、図５Ａおよび図５Ｂのバイパス信号経路５７８）を含み得る。このバイパス信号経路は、電力増幅器の後に送信フィルタを通ることなしに、出力ＲＦ信号として電力増幅器からの増幅されたＲＦ信号を提供するように選択され得る。
【００５０】
[0056]例示的な設計では、第１の周波数帯域はバンド４０に対応し得る。ナローフィルタの第１の帯域幅はバンド４０の帯域幅よりも小さくなり得る。フルフィルタの第２の帯域幅はバンド４０の帯域幅に等しいかそれよりも大きくなり得る。第２のナローフィルタの帯域幅もバンド４０の帯域幅よりも小さくなり得る。ナローフィルタは、たとえば、図４Ｂに示したように、第１の周波数帯域内に遷移帯域を有し得る。フルフィルタは、たとえば、図４Ａに示したように、第１の周波数帯域外に遷移帯域を有し得る。
【００５１】
[0057]例示的な設計では、電力増幅器の前のナローフィルタは、少なくとも１つの基準に基づいて選択またはバイパスされ得る。ナローフィルタは、それが選択されたときにのみ、第１の周波数帯域について入力ＲＦ信号をフィルタリングし得る。例示的な設計では、フルフィルタおよび第２のナローフィルタはそれぞれ、選択またはバイパスされ得る。フルフィルタまたは第２のナローフィルタは、そのフィルタが選択さたとき、第１の周波数帯域について、増幅されたＲＦ信号をフィルタリングし得る。
【００５２】
[0058]例示的な設計では、本装置が第１の周波数帯域における第１のワイヤレスネットワーク（たとえば、バンド４０におけるＬＴＥネットワーク）および第１の周波数帯域に隣接する第２の周波数帯域における第２のワイヤレスネットワーク（たとえば、ＩＳＭバンドにおけるＷＬＡＮ）と同時に通信するときには、ナローフィルタが選択され得る（たとえば、表１の構成３、４または５の場合）。例示的な設計では、本装置が、第１の周波数帯域における第１のワイヤレスネットワークと通信するが、第２の周波数帯域における第２のワイヤレスネットワークとは通信しないときには、フルフィルタが選択され得る（たとえば、表１の構成１の場合）。別の例示的な設計では、本装置が第１の周波数帯域における第１のワイヤレスネットワークおよび第２の周波数帯域における第２のワイヤレスネットワークと同時に通信するときには、ナローフィルタとフルフィルタが両方とも選択され得る（たとえば、表１の構成３の場合）。さらに別の例示的な設計では、本装置が第１の周波数帯域における第１のワイヤレスネットワークおよび第２の周波数帯域における第２のワイヤレスネットワークと同時に通信するときには、ナローフィルタと第２のナローフィルタが両方とも選択され得る（たとえば、表１の構成４の場合）。ナローフィルタ、フルフィルタ、および第２のナローフィルタは他の方法でも選択され得る。
【００５３】
[0059]図６に、ワイヤレスデバイスによってフィルタリングを実行するためのプロセス６００の例示的な設計を示す。入力ＲＦ信号がナローフィルタ（たとえば、図５Ａおよび図５Ｂのナローバンド４０フィルタ５４４）を用いてフィルタリングされて、フィルタリングされたＲＦ信号を得ることができる（ブロック６１２）。ナローフィルタは、第１の周波数帯域に関するものであり得、第１の周波数帯域よりも狭い第１の帯域幅を有し得る。ナローフィルタからのフィルタリングされたＲＦ信号が電力増幅器を用いて増幅されて、増幅されたＲＦ信号を得ることができる（ブロック６１４）。ナローフィルタが使用のために選択されないときには、（フィルタリングされたＲＦ信号ではなく）入力ＲＦ信号が電力増幅器を用いて増幅され得、ナローフィルタはバイパスされ得る。
【００５４】
[0060]例示的な設計では、電力増幅器からの増幅されたＲＦ信号がフルフィルタ（たとえば、図５Ａおよび図５Ｂのフルバンド４０フィルタ５７２）を用いてフィルタリングされて、出力ＲＦ信号を得ることができる（ブロック６１６）。フルフィルタは、また、第１の周波数帯域に関するものであり得、ナローフィルタの第１の帯域幅よりも大きい第２の帯域幅を有し得る。別の例示的な設計では、増幅されたＲＦ信号は、第２のナローフィルタ（たとえば、図５Ｂのナローバンド４０フィルタ５７４）を用いてフィルタリングされて、出力ＲＦ信号を得ることができる。第２のナローフィルタは、また、第１の周波数帯域に関するものであり得、第１の周波数帯域よりも狭い帯域幅を有し得る。さらに別の例示的な設計では、増幅されたＲＦ信号は、電力増幅器の後に送信フィルタを通ることなしに、出力ＲＦ信号としてバイパス信号経路（たとえば、図５Ａおよび図５Ｂのバイパス信号経路５７８）を介して与えられ得る。
【００５５】
[0061]例示的な設計では、ワイヤレスデバイスが第１の周波数帯域における第１のワイヤレスネットワーク（たとえば、バンド４０におけるＬＴＥネットワーク）および第１の周波数帯域に隣接する第２の周波数帯域における第２のワイヤレスネットワーク（たとえば、ＩＳＭバンドにおけるＷＬＡＮ）と同時に通信するときには、入力ＲＦ信号をフィルタリングするためにナローフィルタが選択され得る（ブロック６１８）。例示的な設計では、ワイヤレスデバイスが、第１の周波数帯域における第１のワイヤレスネットワークと通信するが、第２の周波数帯域における第２のワイヤレスネットワークとは通信しないときには、増幅されたＲＦ信号をフィルタリングするためにフルフィルタが選択され得る（ブロック６２０）。
【００５６】
[0062]本明細書で説明するＰＡモジュールおよび／またはフィルタは、ＩＣ、アナログＩＣ、ＲＦＩＣ、混合信号ＩＣ、ＡＳＩＣ、回路モジュール、ハイブリッドモジュール、プリント回路板（ＰＣＢ）、電子デバイスなどの上に実装され得る。ＰＡモジュールおよび／またはフィルタはまた、様々なプロセス技術を用いて作製され得る。ＰＡモジュールおよび／またはフィルタのための能動回路（たとえば、トランジスタ）は、相補型金属酸化物半導体（ＣＭＯＳ：complementary metal oxide semiconductor）、ＮチャネルＭＯＳ（ＮＭＯＳ）、ＰチャネルＭＯＳ（ＰＭＯＳ）、バイポーラ接合トランジスタ（ＢＪＴ：bipolar junction transistor）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ：heterojunction bipolar transistor）、高電子移動度トランジスタ（ＨＥＭＴ：high electron mobility transistor）、シリコンオンインシュレータ（ＳＯＩ：silicon-on-insulator）など、様々なＩＣプロセス技術を用いて作製され得る。
【００５７】
[0063]本明細書で説明するＰＡモジュールおよび／またはフィルタを実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００５８】
[0064]１つまたは複数の例示的な設計では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００５９】
[0065]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
第１の周波数帯域よりも狭い第１の帯域幅を有する、前記第１の周波数帯域に関するナローフィルタであって、入力無線周波数（ＲＦ）信号を受信し、フィルタリングし、フィルタリングされたＲＦ信号を提供するように構成された、ナローフィルタと、
前記ナローフィルタの出力に動作可能に結合された入力を有する電力増幅器であって、前記フィルタリングされたＲＦ信号を受信し、増幅し、増幅されたＲＦ信号を提供するように構成された、電力増幅器と
を備える装置。
［Ｃ２］
前記ナローフィルタを備え、第１のスイッチを介して前記電力増幅器の前記入力に結合された第１の信号経路と、
第２のスイッチを介して前記電力増幅器の前記入力に結合されたバイパス信号経路と
をさらに備える、上記Ｃ１に記載の装置。
［Ｃ３］
前記ナローフィルタの前記第１の帯域幅よりも大きい第２の帯域幅を有する、前記第１の周波数帯域に関するフルフィルタであって、前記電力増幅器の出力に動作可能に結合された入力を有し、前記増幅されたＲＦ信号を受信し、フィルタリングし、出力ＲＦ信号を提供するように構成された、フルフィルタ
をさらに備える、上記Ｃ１に記載の装置。
［Ｃ４］
前記第１の周波数帯域がバンド４０に対応し、前記ナローフィルタの前記第１の帯域幅がバンド４０の帯域幅よりも小さく、前記フルフィルタの前記第２の帯域幅がバンド４０の前記帯域幅に等しいかそれよりも大きい、上記Ｃ３に記載の装置。
［Ｃ５］
前記ナローフィルタが前記第１の周波数帯域内に遷移帯域を有し、前記フルフィルタが前記第１の周波数帯域外に遷移帯域を有する、上記Ｃ３に記載の装置。
［Ｃ６］
前記第１の周波数帯域よりも狭い帯域幅を有する、前記第１の周波数帯域に関する第２のナローフィルタであって、前記電力増幅器の出力に動作可能に結合された入力を有し、前記増幅されたＲＦ信号を受信し、フィルタリングし、出力ＲＦ信号を提供するように構成された、第２のナローフィルタ
をさらに備える、上記Ｃ１に記載の装置。
［Ｃ７］
前記電力増幅器の前記出力とアンテナインターフェース回路との間に結合されたバイパス信号経路
をさらに備える、上記Ｃ１に記載の装置。
［Ｃ８］
前記ナローフィルタが、少なくとも１つの基準に基づいて選択またはバイパスされ、前記ナローフィルタは、前記ナローフィルタが選択されたときには、前記第１の周波数帯域について前記入力ＲＦ信号をフィルタリングするように構成された、上記Ｃ１に記載の装置。
［Ｃ９］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、上記Ｃ１に記載の装置。
［Ｃ１０］
前記装置が、前記第１の周波数帯域における第１のワイヤレスネットワークと通信するが、前記第１の周波数帯域に隣接する第２の周波数帯域における第２のワイヤレスネットワークとは通信しないときには、前記フルフィルタが選択される、上記Ｃ３に記載の装置。
［Ｃ１１］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタと前記フルフィルタが両方とも選択される、上記Ｃ３に記載の装置。
［Ｃ１２］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタと前記第２のナローフィルタが両方とも選択される、上記Ｃ６に記載の装置。
［Ｃ１３］
フィルタリングされたＲＦ信号を得るためにナローフィルタを用いて入力無線周波数（ＲＦ）信号をフィルタリングすることであって、前記ナローフィルタが、第１の周波数帯域に関するものであり、前記第１の周波数帯域よりも狭い第１の帯域幅を有する、フィルタリングすることと、
増幅されたＲＦ信号を得るために電力増幅器を用いて前記ナローフィルタからの前記フィルタリングされたＲＦ信号を増幅することと
を備える方法。
［Ｃ１４］
出力ＲＦ信号を得るためにフルフィルタを用いて前記電力増幅器からの前記増幅されたＲＦ信号をフィルタリングすることであって、前記フルフィルタが、前記第１の周波数帯域に関するものであり、前記ナローフィルタの前記第１の帯域幅よりも大きい第２の帯域幅を有する、フィルタリングすること
をさらに備える、上記Ｃ１３に記載の方法。
［Ｃ１５］
出力ＲＦ信号を得るために第２のナローフィルタを用いて前記電力増幅器からの前記増幅されたＲＦ信号をフィルタリングすることであって、前記第２のナローフィルタが、前記第１の周波数帯域に関するものであり、前記第１の周波数帯域よりも狭い帯域幅を有する、フィルタリングすること
をさらに備える、上記Ｃ１３に記載の方法。
［Ｃ１６］
前記ナローフィルタが使用のために選択されないときには、前記電力増幅器を用いて前記入力ＲＦ信号を増幅し、前記ナローフィルタをバイパスすること
をさらに備える、上記Ｃ１３に記載の方法。
［Ｃ１７］
入力無線周波数（ＲＦ）信号を受信し、フィルタリングし、フィルタリングされたＲＦ信号を提供するように構成された、フィルタリングするための第１の手段であって、第１の周波数帯域に関するものであり、前記第１の周波数帯域よりも狭い第１の帯域幅を有する、フィルタリングするための第１の手段と、
前記フィルタリングされたＲＦ信号を受信し、増幅し、増幅されたＲＦ信号を提供するように構成された、増幅するための手段と
を備える装置。
［Ｃ１８］
前記増幅されたＲＦ信号を受信し、フィルタリングし、出力ＲＦ信号を提供するように構成された、フィルタリングするための第２の手段であって、前記第１の周波数帯域に関するものであり、前記ナローフィルタの前記第１の帯域幅よりも大きい第２の帯域幅を有する、フィルタリングするための第２の手段
をさらに備える、上記Ｃ１７に記載の装置。
［Ｃ１９］
前記増幅されたＲＦ信号を受信し、フィルタリングし、出力ＲＦ信号を提供するように構成された、フィルタリングするための第２の手段であって、前記第１の周波数帯域に関するものであり、前記第１の周波数帯域よりも狭い帯域幅を有する、フィルタリングするための第２の手段
をさらに備える、上記Ｃ１７に記載の装置。
［Ｃ２０］
ワイヤレスデバイスが第１の周波数帯域における第１のワイヤレスネットワークおよび前記第１の周波数帯域に隣接する第２の周波数帯域における第２のワイヤレスネットワークと同時に通信するときには、入力無線周波数（ＲＦ）信号をフィルタリングし、フィルタリングされたＲＦ信号を提供するためにナローフィルタを選択することを少なくとも１つのコンピュータに行わせるためのコードであって、前記ナローフィルタが、前記第１の周波数帯域に関するものであり、前記第１の周波数帯域よりも狭い第１の帯域幅を有し、前記ナローフィルタが電力増幅器より前に配置された、ナローフィルタを選択することを少なくとも１つのコンピュータに行わせるためのコードと、
前記ワイヤレスデバイスが、前記第１の周波数帯域における前記第１のワイヤレスネットワークと通信するが、前記第２の周波数帯域における前記第２のワイヤレスネットワークとは通信しないときには、前記電力増幅器からの増幅されたＲＦ信号をフィルタリングし、出力ＲＦ信号を提供するためにフルフィルタを選択することを前記少なくとも１つのコンピュータに行わせるためのコードであって、前記フルフィルタが、前記第１の周波数帯域に関するものであり、前記ナローフィルタの前記第１の帯域幅よりも大きい第２の帯域幅を有し、前記フルフィルタが前記電力増幅器の後に配置された、フルフィルタを選択することを少なくとも１つのコンピュータに行わせるためのコードと
を備える非一時的コンピュータ可読媒体
を備える、コンピュータプログラム製品。
【図１】
0006290105.tif 000003
【図２】
0006290105.tif 000004
【図３】
0006290105.tif 000005
【図４Ａ】
0006290105.tif 000006
【図４Ｂ】
0006290105.tif 000007
【図５Ａ】
0006290105.tif 000008
【図５Ｂ】
0006290105.tif 000009
【図６】
0006290105.tif 000010